【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、負の屈折力の第４レンズ群、正の屈折力の第５レンズ群、１つ以上のレンズ群を有する後群から構成され、ズーミングに際して隣り合うレンズ群の間隔が変化するズームレンズにおいて、
フォーカシングに際して前記第３レンズ群と前記第４レンズ群の間隔が変化し、前記第３レンズ群に含まれる正レンズの中で最も像側に配置された正レンズの材料のアッベ数をνｄ３ｐとするとき、
５０＜νｄ３ｐ＜１００
なる条件式を満たすことを特徴とするズームレンズ。
【請求項２】
前記第３レンズ群の焦点距離をｆ３、前記第４レンズ群の焦点距離をｆ４とするとき、１．０＜｜ｆ４／ｆ３｜＜２．０
なる条件式を満たすことを特徴とする請求項１に記載のズームレンズ。
【請求項３】
前記第２レンズ群の焦点距離をｆ２、広角端から望遠端へのズーミングにおける前記第１レンズ群の移動量をｍ１とするとき、
０．１０＜｜ｆ２｜／ｍ１＜０．５０
なる条件式を満たすことを特徴とする請求項１又は２に記載のズームレンズ。
【請求項４】
前記第５レンズ群の焦点距離をｆ５、望遠端における全系の焦点距離をｆｔとするとき、
０．０５＜ｆ５／ｆｔ＜０．４５
なる条件式を満たすことを特徴とする請求項１乃至３のいずれか１項に記載のズームレンズ。
【請求項５】
前記第１レンズ群の焦点距離をｆ１、広角端における全系の焦点距離をｆｗとするとき、
２．０＜ｆ１／ｆｗ＜９．０
なる条件式を満たすことを特徴とする請求項１乃至４のいずれか１項に記載のズームレンズ。
【請求項６】
前記第３レンズ群の焦点距離をｆ３、前記第４レンズ群の焦点距離をｆ４、前記第５レンズ群の焦点距離をｆ５とするとき、
０．４＜｜ｆ３×ｆ４｜１／２／ｆ５＜３．４
なる条件式を満たすことを特徴とする請求項１乃至５のいずれか１項に記載のズームレンズ。
【請求項７】
前記第４レンズ群は負レンズＧ４ｎを含む１つのレンズ成分から構成され、前記負レンズＧ４ｎの材料の屈折率をｎｄ４ｎ、前記負レンズＧ４ｎの材料のアッベ数をνｄ４ｎとするとき、
１．５２＜ｎｄ４ｎ＜２．１０
２５＜νｄ４ｎ＜７０
なる条件式を満たすことを特徴とする請求項１乃至６のいずれか１項に記載のズームレンズ。
【請求項８】
前記後群は、物体側から像側へ順に配置された、負の屈折力の第６レンズ群、正の屈折力の第７レンズ群から構成されることを特徴とする請求項１乃至７のいずれか１項に記載のズームレンズ。
【請求項９】
フォーカシングに際して前記第４レンズ群が移動することを特徴とする請求項８に記載のズームレンズ。
【請求項１０】
フォーカシングに際して前記第３レンズ群と前記第４レンズ群が移動することを特徴とする請求項８に記載のズームレンズ。
【請求項１１】
前記後群は負の屈折力の第６レンズ群から構成されることを特徴とする請求項１乃至７のいずれか１項に記載のズームレンズ。
【請求項１２】
フォーカシングに際して前記第２レンズ群と前記第４レンズ群が移動することを特徴とする請求項１１に記載のズームレンズ。
【請求項１３】
前記第６レンズ群の焦点距離をｆ６、広角端における全系の焦点距離をｆｗとするとき、
１．０＜｜ｆ６｜／ｆｗ＜１４．０
なる条件式を満たすことを特徴とする請求項８乃至１２のいずれか１項に記載のズームレンズ。
【請求項１４】
請求項１乃至１３のいずれか１項に記載のズームレンズと、該ズームレンズによって形成された像を受光する撮像素子を有することを特徴とする撮像装置。
【手続補正２】
【補正対象書類名】明細書
【補正対象項目名】００１３
【補正方法】変更
【補正の内容】
【００１３】
本発明のズームレンズは、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、１つ以上のレンズ群を有する後群から構成され、ズーミングに際して隣り合うレンズ群の間隔が変化するズームレンズにおいて、
フォーカシングに際して前記第３レンズ群と前記第４レンズ群の間隔が変化し、前記第３レンズ群に含まれる正レンズの中で最も像側に配置された正レンズの材料のアッベ数をνｄ３ｐとするとき、
５０＜νｄ３ｐ＜１００
なる条件式を満たすことを特徴としている。
【手続補正３】
【補正対象書類名】明細書
【補正対象項目名】００２８
【補正方法】変更
【補正の内容】
【００２８】
物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、１つ以上のレンズ群を有する後群より構成している。そして、広角端から望遠端へのズーミングに際し、第１レンズ群Ｌ１は物体側へ移動し、第２レンズ群Ｌ２は物体側へ移動してズーミングを行っている。
【手続補正４】
【補正対象書類名】明細書
【補正対象項目名】００３２
【補正方法】変更
【補正の内容】
【００３２】
また近距離物体へのフォーカシングに際しての収差変動、特に球面収差の変動および像面湾曲の変動を軽減している。第３レンズ群Ｌ３に含まれる正レンズの中で最も像側に配置された正レンズＧ３Ｒの材料のアッベ数をνｄ３ｐとする。このとき、
５０＜νｄ３ｐ＜１００    ・・・（１）
なる条件式を満たす。
【手続補正５】
【補正対象書類名】明細書
【補正対象項目名】００４１
【補正方法】変更
【補正の内容】
【００４１】
１．０＜｜ｆ４／ｆ３｜＜２．０                  ・・・（２）
０．１０＜｜ｆ２｜／ｍ１＜０．５０              ・・・（３）
０．０５＜ｆ５／ｆｔ＜０．４５                  ・・・（４）
２．０＜ｆ１／ｆｗ＜９．０                      ・・・（５）
０．４＜｜ｆ３×ｆ４｜１／２／ｆ５＜３．４        ・・・（６）
１．５２＜ｎｄ４ｎ＜２．１０                    ・・・（７）
２５＜νｄ４ｎ＜７０                            ・・・（８）
１．０＜｜ｆ６｜／ｆｗ＜１４．０                ・・・（９）
次に前述の各条件式の技術的意味について説明する。
【手続補正６】
【補正対象書類名】明細書
【補正対象項目名】００５２
【補正方法】変更
【補正の内容】
【００５２】
１．０＜｜ｆ４／ｆ３｜＜１．８                    ・・・（２ａ）
０．１２＜｜ｆ２｜／ｍ１＜０．４５                ・・・（３ａ）
０．１０＜ｆ５／ｆｔ＜０．３５                    ・・・（４ａ）
３．０＜ｆ１／ｆｗ＜８．０                        ・・・（５ａ）
０．６＜｜ｆ３×ｆ４｜１／２／ｆ５＜３．０          ・・・（６ａ）
１．５６＜ｎｄ４ｎ＜２．００                      ・・・（７ａ）
３０＜νｄ４ｎ＜６０                              ・・・（８ａ）
１．１＜｜ｆ６｜／ｆｗ＜１３．０                  ・・・（９ａ）
【手続補正７】
【補正対象書類名】明細書
【補正対象項目名】００５６
【補正方法】変更
【補正の内容】
【００５６】
１．０５＜｜ｆ４／ｆ３｜＜１．６５              ・・・（２ｂ）
０．１５＜｜ｆ２｜／ｍ１＜０．３５              ・・・（３ｂ）
０．１５＜ｆ５／ｆｔ＜０．２５                  ・・・（４ｂ）
４．０＜ｆ１／ｆｗ＜７．５                      ・・・（５ｂ）
０．８＜｜ｆ３×ｆ４｜１／２／ｆ５＜２．６        ・・・（６ｂ）
１．６０＜ｎｄ４ｎ＜１．９５                    ・・・（７ｂ）
３５＜νｄ４ｎ＜５５                            ・・・（８ｂ）
１．３＜｜ｆ６｜／ｆｗ＜１２．０                ・・・（９ｂ）
【手続補正８】
【補正対象書類名】明細書
【補正対象項目名】００８７
【補正方法】変更
【補正の内容】
【００８７】
【表１】
2015118141.tif 000001